【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
アップリンク送信機会の第１のインジケーションを備えるクリアツートランスミットメッセージを生成するように構成された電子ハードウェアプロセッサ、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、と、
前記２つ以上の局に前記クリアツートランスミットメッセージを送信するように構成された送信機と、
前記２つ以上の局のうちの少なくとも２つの局から前記特定の時間において前記複数のアップリンクデータ送信を受信するように構成された受信機と
を備える、装置。
【請求項２】
前記持続時間フィールドは、９つのビットを備える、請求項１に記載の装置。
【請求項３】
前記電子ハードウェアプロセッサは、前記２つ以上の局が前記複数のアップリンクデータ送信の終わりにパケット拡張シンボルを含めるかどうかについてのインジケーションを備えるようにして前記クリアツートランスミットメッセージを生成するようにさらに構成される、請求項１に記載の装置。
【請求項４】
前記電子ハードウェアプロセッサは、前記２つ以上の局が送信することの前にワイヤレス媒体の状態を検討するという第２のインジケーションを備えるようにして前記クリアツートランスミットメッセージを生成するようにさらに構成され、ここにおいて、前記クリアツートランスミットメッセージは、前記ワイヤレス媒体の前記状態を検討する際に前記２つ以上の局によって利用されるクリアチャネルアセスメントしきい値の第３のインジケーションをさらに備える、請求項１に記載の装置。
【請求項５】
前記電子ハードウェアプロセッサは、ランダムアクセスのための１つまたは複数のリソースユニットを決定するように、および前記クリアツートランスミットメッセージに、前記１つまたは複数のリソースユニットのインジケーションを含めるようにさらに構成され、
前記受信機は、前記１つまたは複数のリソースユニットに基づいて、ランダムアクセスアップリンクデータを受信するようにさらに構成される、請求項１に記載の装置。
【請求項６】
前記電子ハードウェアプロセッサは、前記複数のアップリンクデータ送信のために前記２つ以上の局によって利用されるパケットタイプの第２のインジケーションおよび前記アップリンク送信機会の間、関連の局が送信し得るか非関連の局が送信し得るかについての第３のインジケーションを備えるようにして前記クリアツートランスミットメッセージを生成するように構成される、請求項１に記載の装置。
【請求項７】
前記電子ハードウェアプロセッサは、前記クリアツートランスミットメッセージの送信電力および前記複数のアップリンクデータ送信のためのターゲット受信電力の第２のインジケーションを備えるようにして前記クリアツートランスミットメッセージを生成するようにさらに構成される、請求項１に記載の装置。
【請求項８】
ワイヤレス通信のための方法であって、
電子ハードウェアプロセッサを介して、アップリンク送信機会、および、特定の時間において、２つ以上の局がアップリンクデータをコンカレントに送信することを求める要求を示すクリアツートランスミットメッセージを生成すること、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、と、
前記電子ハードウェアプロセッサを介して、前記２つ以上の局に前記クリアツートランスミットメッセージを送信することと、
前記電子ハードウェアプロセッサを介して、前記２つ以上の局のうちの少なくとも２つの局から前記特定の時間において前記複数のアップリンクデータ送信を受信することと
を備える、方法。
【請求項９】
前記持続時間フィールドは、９つのビットを備える、請求項８に記載の方法。
【請求項１０】
前記２つ以上の局が前記複数のアップリンクデータ送信の終わりにパケット拡張シンボルを含めるかどうかについてのインジケーションをさらに含むようにして前記クリアツートランスミットメッセージを生成することをさらに備える、請求項８に記載の方法。
【請求項１１】
前記２つ以上の局が送信することの前にワイヤレス媒体の状態を検討するという第２のインジケーション、および前記ワイヤレス媒体の前記状態を検討する際に前記２つ以上の局によって利用されるクリアチャネルアセスメントしきい値の第３のインジケーションをさらに含むようにして前記クリアツートランスミットメッセージを生成することをさらに備える、請求項８に記載の方法。
【請求項１２】
ランダムアクセスのための１つまたは複数のリソースユニットを決定することと、
前記クリアツートランスミットメッセージにおいて、前記１つまたは複数のリソースユニットのインジケーションを送信することと、
前記１つまたは複数のリソースユニットに基づいて、ランダムアクセスアップリンクデータを受信することと
をさらに備える、請求項８に記載の方法。
【請求項１３】
前記複数のアップリンクデータ送信のために前記２つ以上の局によって利用されるパケットタイプのインジケーションをさらに含むようにして前記クリアツートランスミットメッセージを生成することをさらに備え、ここにおいて、前記クリアツートランスミットメッセージは、前記アップリンク送信機会の間、関連の局が送信し得るか非関連の局が送信し得るかについてのインジケーションをさらに備える、請求項８に記載の方法。
【請求項１４】
前記クリアツートランスミットメッセージの送信電力および前記複数のアップリンクデータ送信のためのターゲット受信電力のインジケーションをさらに含むようにして前記クリアツートランスミットメッセージを生成することをさらに備える、請求項８に記載の方法。
【請求項１５】
ワイヤレス通信のための装置であって、
アップリンク送信機会を示すクリアツートランスミットメッセージを生成するための手段、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、
前記２つ以上の局に前記クリアツートランスミットメッセージを送信するための手段と、
前記２つ以上の局のうちの少なくとも２つの局から前記特定の時間において前記複数のアップリンクデータ送信を受信するための手段と
を備える、装置。
【請求項１６】
前記持続時間フィールドは、９つのビットを備える、請求項１５に記載の装置。
【請求項１７】
前記生成するための手段は、前記２つ以上の局が前記複数のアップリンクデータ送信の終わりにパケット拡張シンボルを含めるかどうかについてのインジケーションを含むようにして前記クリアツートランスミットメッセージを生成するように構成される、請求項１５に記載の装置。
【請求項１８】
前記生成するための手段は、前記２つ以上の局が送信することの前にワイヤレス媒体の状態を検討するという第２のインジケーションを含むようにして前記クリアツートランスミットメッセージを生成するように構成され、前記ワイヤレス媒体の前記状態を検討する際に前記２つ以上の局によって利用されるクリアチャネルアセスメントしきい値の第３のインジケーションを含むようにして前記クリアツートランスミットメッセージを生成するようにまた構成される、請求項１５に記載の装置。
【請求項１９】
ランダムアクセスのための１つまたは複数のリソースユニットを決定するための手段と、
前記クリアツートランスミットメッセージにおいて、前記１つまたは複数のリソースユニットのインジケーションを送信するための手段と、
前記１つまたは複数のリソースユニットに基づいて、ランダムアクセスアップリンクデータを受信するための手段と
をさらに備える、請求項１５に記載の装置。
【請求項２０】
前記生成するための手段は、前記複数のアップリンクデータ送信のために前記２つ以上の局によって利用されるパケットタイプの第２のインジケーションを含むようにして前記クリアツートランスミットメッセージを生成するように構成され、前記生成するための手段はまた、前記アップリンク送信機会の間、関連の局が送信し得るか非関連の局が送信し得るかについての第３のインジケーションをさらに含むようにして前記クリアツートランスミットメッセージを生成するように構成される、請求項１５に記載の装置。
【請求項２１】
前記生成するための手段は、前記クリアツートランスミットメッセージの送信電力および前記複数のアップリンクデータ送信のためのターゲット受信電力のインジケーションを含むようにして前記クリアツートランスミットメッセージを生成するように構成される、請求項１５に記載の装置。
【請求項２２】
非一時的コンピュータ読取り可能媒体であって、実行されると、プロセッサに、
アップリンク送信機会を示すクリアツートランスミットメッセージを生成することと、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、
前記２つ以上の局に前記クリアツートランスミットメッセージを送信することと、
前記２つ以上の局のうちの少なくとも２つの局から前記特定の時間において前記複数のアップリンクデータ送信を受信することと
の方法を行わせる命令を備える、非一時的コンピュータ読取り可能媒体。
【請求項２３】
前記持続時間フィールドは、９つのビットを備える、請求項２２に記載の非一時的コンピュータ読取り可能媒体。
【請求項２４】
前記クリアツートランスミットメッセージは、前記２つ以上の局が前記複数のアップリンクデータ送信の終わりにパケット拡張シンボルを含めるかどうかについてのインジケーションを備えるようにしてさらに生成される、請求項２２に記載の非一時的コンピュータ読取り可能媒体。
【請求項２５】
前記クリアツートランスミットメッセージは、前記２つ以上の局が送信することの前にワイヤレス媒体の状態を検討するという第２のインジケーションを備えるようにしてさらに生成され、ここにおいて、前記クリアツートランスミットメッセージは、前記ワイヤレス媒体の前記状態を検討する際に前記２つ以上の局によって利用されるクリアチャネルアセスメントしきい値の第３のインジケーションをさらに備える、請求項２２に記載の非一時的コンピュータ読取り可能媒体。
【請求項２６】
前記方法は、
ランダムアクセスのための１つまたは複数のリソースユニットを決定することと、
前記クリアツートランスミットメッセージにおいて、前記１つまたは複数のリソースユニットのインジケーションを送信することと、
前記１つまたは複数のリソースユニットに基づいて、ランダムアクセスアップリンクデータを受信することと
をさらに備える、請求項２２に記載の非一時的コンピュータ読取り可能媒体。
【請求項２７】
前記クリアツートランスミットメッセージは、前記複数のアップリンクデータ送信のために前記２つ以上の局によって利用されるパケットタイプのインジケーションを備えるようにしてさらに生成され、前記クリアツートランスミットメッセージは、前記アップリンク送信機会の間、関連の局が送信し得るか非関連の局が送信し得るかについてのインジケーションをさらに備える、請求項２２に記載の非一時的コンピュータ読取り可能媒体。
【請求項２８】
前記クリアツートランスミットメッセージは、前記クリアツートランスミットメッセージの送信電力および前記複数のアップリンクデータ送信のためのターゲット受信電力のインジケーションを備えるようにしてさらに生成される、請求項２２に記載の非一時的コンピュータ読取り可能媒体。
【手続補正２】
【補正対象書類名】明細書
【補正対象項目名】００５５
【補正方法】変更
【補正の内容】
【００５５】
[0070]  図６は、図１と併せて、ＵＬ−ＭＵ−ＭＩＭＯ送信の動作モードの別の例を例示する時間系列図である。この具体例において、ＳＴＡ１２０Ａおよび１２０Ｂは、ＡＰ１１０からＣＴＸメッセージ４０２を受信し、ＣＴＸメッセージ４０２を搬送するＰＰＤＵの終わりから時間（Ｔ）４０６後にＵＬ−ＭＵ−ＭＩＭＯ送信をスタートすることが可能にされる。Ｔ４０６は、ＣＴＸメッセージ４０２におけるＡＰ１１０によってまたは管理フレームを介して示されるような、追加のオフセットで潜在的に調整された短いインターフレーム空間（ＳＩＦＳ）、ポイントインターフレーム空間（ＰＩＦＳ）、または別の時間であり得る。ＳＩＦＳおよびＰＩＦＳ時間は、ＣＴＸメッセージ４０２において、または管理フレームにおいてＡＰ１１０によって示され得るか、基準に固定化され得るか。Ｔ４０６の利点は、送信の前にＳＴＡ１２０Ａおよび１２０ＢにＣＴＸメッセージ４０２または他のメッセージを処理するための時間を許可することまたは同期を改善することであり得る。
【手続補正３】
【補正対象書類名】明細書
【補正対象項目名】００８２
【補正方法】変更
【補正の内容】
【００８２】
[0097]  持続時間フィールド１４１２は、ＳＴＡ１２０からの応答ＰＳＤＵ（例えば、アップリンクパケット）のＯＦＤＭシンボルの数を示し得る。いくつかの態様において、持続時間フィールド１４１２は、長さで９つのビットであり得る。別の具体例において、持続時間フィールド１４１２は、９つのビットであり得る。他の態様において、持続時間フィールド１４１２は、長さで９つのビットより多いか少なくあり得る。いくつかの態様において、ＯＦＤＭシンボルは、ＩＥＥＥ８０２．１１ａｘにおけるシンボル持続時間のような、１６μｓであり得る。他の態様において、ＯＦＤＭシンボルは、ＩＥＥＥ８０２．１１ａｃにおけるシンボル持続時間のように、４μｓであり得る。これらの態様に従って、トリガは、パディングに起因する損失なく非高効率（ＨＥ）シングルユーザ（ＳＵ）ＰＰＤＵを取り出す（eliciting）ために利用され得る。別の態様において、持続時間フィールド１４１２は、アップリンク応答メッセージ（例えば、ＵＬ  ＭＵ  ＰＰＤＵ）の場合、Ｌ−ＳＩＧフィールドの長さフィールドへコピーするために、各ＳＴＡごとの値を含み得る。この態様に従って、持続時間フィールド１４１２は、８０２．１１仕様書のうち１つまたは複数に従って、Ｌ−ＳＩＧフィールドにおける長さフィールドの設定のために定義されるルールに従って、設定され得る。様々な態様において、持続時間フィールド１４１２は、ＳＴＡ１２０（例えば、アップリンクパケット）から受信されるＭＰＤＵまたはＰＰＤＵのシンボルにおける持続時間を示し得る。パケット拡張フィールド１４１４は、応答ＰＰＤＵの終わりにおいてＳＴＡ１２０がパケット拡張（ＰＥ）シンボルを含まなければいけないか、またはそれらを考慮（account for）しなければいけないか、を示すことができ、あるいはそうでなければ、ＰＥ技法を使用する。いくつかの具体例において、ＰＥは、パケットを受信するデバイスがパケットにおいて含まれる情報を正確に処理するための追加的な処理時間を有することを可能にし得る。いくつかの態様において、パケット拡張フィールド１４１４は、ａ−ｆａｃｔｏｒ、ＬＤＰＣの余分シンボル、またはＰＥ持続時間のうちの１つまたは複数を示し得る。ａ−ｆａｃｔｏｒは、米国仮特許出願第６２／１８９、１７０号において、説明されたａ−ｆａｃｔｏｒと同様であり得る。いくつかの態様において、ａ−ｆａｃｔｏｒは、長さで３つのビットまたはそれより少なくあり得る。ＬＤＰＣの余分シンボルは、長さで１つのビットで有り得、ＬＤＰＣのための追加のシンボルがＳＴＡによってアップリンク応答メッセージにおいて利用されるべきであるかどうかを示すために使用され得る。ＰＥ持続時間は、長さで３つのビットで有り得、ＳＴＡ１２０によって送信されるアップリンクパケットの終わりに追加される拡張の持続時間を示し得る。いくつかの態様において、ＰＥ持続時間は１、または０μｓ、４μｓ、８μｓ、１２μｓ、または１６μｓであり得る。
【手続補正４】
【補正対象書類名】明細書
【補正対象項目名】０１０８
【補正方法】変更
【補正の内容】
【０１０８】
[00123]  前述が本開示の態様を対象にする一方で、本開示のその他および更なる態様が、その基本的な範囲から逸脱することなく考案され得、その範囲は、以下に続く特許請求の範囲によって決定される。
以下に本願発明の当初の特許請求の範囲に記載された発明を付記する。
［Ｃ１］
ワイヤレス通信のための装置であって、
アップリンク送信機会の第１のインジケーションを備えるクリアツートランスミットメッセージを生成するように構成された電子ハードウェアプロセッサ、前記クリアツートランスミットメッセージは、特定の時間において、２つ以上の局がアップリンクデータをコンカレントに送信することを求める要求をさらに備える、と、
前記２つ以上の局に前記クリアツートランスミットメッセージを送信するように構成された送信機と、
前記２つ以上の局のうちの少なくとも２つの局から前記特定の時間において複数のアップリンクデータ送信を受信するように構成された受信機と
を備える、装置。
［Ｃ２］
前記電子ハードウェアプロセッサは、前記２つ以上の局の全てに共通の情報を含む共通情報フィールドおよび前記２つ以上の局の各々にそれぞれ対応する２つ以上の個別情報フィールドを備えるために前記クリアツートランスミットメッセージを生成するようにさらに構成される、Ｃ１に記載の装置。
［Ｃ３］
前記電子ハードウェアプロセッサは、前記複数のアップリンクデータ送信のために使用されるＯＦＤＭシンボルの数を示す９つのビットの持続時間フィールドを備えるために前記クリアツートランスミットメッセージを生成するようにさらに構成される、Ｃ１に記載の装置。
［Ｃ４］
前記電子ハードウェアプロセッサは、前記２つ以上の局が前記複数のアップリンクデータ送信の終わりでパケット拡張シンボルを含むかどうかについてのインジケーションを備えるために前記クリアツートランスミットメッセージを生成するようにさらに構成される、Ｃ１に記載の装置。
［Ｃ５］
前記電子ハードウェアプロセッサは、前記２つ以上の局が送信することの前にワイヤレス媒体の状態を検討するという第２のインジケーションを備えるために前記クリアツートランスミットメッセージを生成するようにさらに構成され、ここにおいて、前記クリアツートランスミットメッセージは、前記ワイヤレス媒体の前記状態を検討中の前記２つ以上の局によって利用されるクリアチャネルアセスメントしきい値の第３のインジケーションをさらに備える、Ｃ１に記載の装置。
［Ｃ６］
前記電子ハードウェアプロセッサは、ランダムアクセスのための１つまたは複数のリソースユニットを決定するように、および前記クリアツートランスミットメッセージにおいて、前記１つまたは複数のリソースユニットのインジケーションを含むようにさらに構成され、
前記受信機は、前記１つまたは複数のリソースユニットに基づいて、ランダムアクセスアップリンクデータを受信するようにさらに構成される、Ｃ１に記載の装置。
［Ｃ７］
前記電子ハードウェアプロセッサは、前記複数のアップリンクデータ送信のために前記２つ以上の局によって利用されるパケットタイプの第２のインジケーションおよび前記アップリンク送信機会の間、関連のまたは非関連の局が、送信し得るかどうかについての第３のインジケーションを備えるために前記クリアツートランスミットメッセージを生成するように構成される、Ｃ１に記載の装置。
［Ｃ８］
前記電子ハードウェアプロセッサは、前記クリアツートランスミットメッセージの送信電力および前記複数のアップリンクデータ送信のためのターゲット受信電力の第２のインジケーションを備えるために前記クリアツートランスミットメッセージを生成するようにさらに構成される、Ｃ１に記載の装置。
［Ｃ９］
ワイヤレス通信のための方法であって、
電子ハードウェアプロセッサを介して、アップリンク送信機会、および、特定の時間において、２つ以上の局がアップリンクデータをコンカレントに送信することを求める要求を示すクリアツートランスミットメッセージを生成することと、
前記電子ハードウェアプロセッサを介して、前記２つ以上の局に前記クリアツートランスミットメッセージを送信することと、
前記電子ハードウェアプロセッサを介して、前記２つ以上の局のうちの少なくとも２つの局から前記特定の時間において複数のアップリンクデータ送信を受信することと
を備える、方法。
［Ｃ１０］
前記２つ以上の局の全てに共通の情報を含む共通情報フィールド、および前記２つ以上の局の各々にそれぞれ対応する２つ以上の個別情報フィールドをさらに含むために前記クリアツートランスミットメッセージを生成することをさらに備える、Ｃ９に記載の方法。
［Ｃ１１］
前記複数のアップリンクデータ送信のために使用されるＯＦＤＭシンボルの数を示す９つのビットの持続時間フィールドを備えるためにさらに含むために、前記クリアツートランスミットメッセージを生成することをさらに備える、Ｃ９に記載の方法。
［Ｃ１２］
前記２つ以上の局が前記複数のアップリンクデータ送信の終わりでパケット拡張シンボルを含むかどうかについてのインジケーションをさらに含むために前記クリアツートランスミットメッセージを生成することをさらに備える、Ｃ９に記載の方法。
［Ｃ１３］
前記２つ以上の局が送信することの前にワイヤレス媒体の状態を検討するという第２のインジケーション、および前記ワイヤレス媒体の前記状態を検討中の前記２つ以上の局によって利用されるクリアチャネルアセスメントしきい値の第３のインジケーションをさらに含むために前記クリアツートランスミットメッセージを生成するためにさらに備える、Ｃ９に記載の方法。
［Ｃ１４］
ランダムアクセスのための１つまたは複数のリソースユニットを決定することと、
前記クリアツートランスミットメッセージにおいて、前記１つまたは複数のリソースユニットのインジケーションを送信することと、
前記１つまたは複数のリソースユニットに基づいて、ランダムアクセスアップリンクデータを受信することと
をさらに備える、Ｃ９に記載の方法。
［Ｃ１５］
前記複数のアップリンクデータ送信のための前記２つ以上の局によって利用されるパケットタイプのインジケーションをさらに含むために前記クリアツートランスミットメッセージを生成することと、ここにおいて、前記クリアツートランスミットメッセージは、前記アップリンク送信機会の間、関連のまたは非関連の局が、送信し得るかどうかについてのインジケーションをさらに備える、Ｃ９に記載の方法。
［Ｃ１６］
前記クリアツートランスミットメッセージの送信電力および前記複数のアップリンクデータ送信のためのターゲット受信電力のインジケーションをさらに含むために前記クリアツートランスミットメッセージを生成することをさらに備える、Ｃ９に記載の方法。
［Ｃ１７］
ワイヤレス通信のための装置であって、
アップリンク送信機会を示すクリアツートランスミットメッセージを生成するための手段、前記クリアツートランスミットメッセージは、特定の時間において、２つ以上の局がアップリンクデータをコンカレントに送信することを求める要求をさらに備える、
前記２つ以上の局に前記クリアツートランスミットメッセージを送信するための手段と、前記２つ以上の局のうちの少なくとも２つの局から前記特定の時間において複数のアップリンクデータ送信を受信するための手段と
を備える、装置。
［Ｃ１８］
前記生成するための手段は、前記２つ以上の局の全てに共通の情報を含む共通情報フィールドを含むために前記クリアツートランスミットメッセージを生成するように、および、前記２つ以上の局の各々にそれぞれ対応する２つ以上の個別情報フィールドもまた含むために前記クリアツートランスミットメッセージを生成するように構成される、Ｃ１７に記載の装置。
［Ｃ１９］
前記生成するための手段は、前記複数のアップリンクデータ送信のために使用されるＯＦＤＭシンボルの数を示す９つのビットの持続時間フィールドを含むために前記クリアツートランスミットメッセージを生成するように構成される、Ｃ１７に記載の装置。
［Ｃ２０］
前記生成するための手段は、前記２つ以上の局が前記複数のアップリンクデータ送信の終わりでパケット拡張シンボルを含むかどうかについてのインジケーションを含むために前記クリアツートランスミットメッセージを生成するように構成される、Ｃ１７に記載の装置。
［Ｃ２１］
前記生成するための手段は、前記２つ以上の局が送信することの前にワイヤレス媒体の状態を検討するという第２のインジケーションを含むために前記クリアツートランスミットメッセージを生成するように構成され、前記ワイヤレス媒体の前記状態を検討中の前記２つ以上の局によって利用されるクリアチャネルアセスメントしきい値の第３のインジケーションを含むために前記クリアツートランスミットメッセージを生成するようにまた構成される、Ｃ１７に記載の装置。
［Ｃ２２］
ランダムアクセスのための１つまたは複数のリソースユニットを決定するための手段と、
前記クリアツートランスミットメッセージにおいて、前記１つまたは複数のリソースユニットのインジケーションを送信するための手段と、
前記１つまたは複数のリソースユニットに基づいて、ランダムアクセスアップリンクデータを受信するための手段と
をさらに備える、Ｃ１７に記載の装置。
［Ｃ２３］
前記生成するための手段は、前記複数のアップリンクデータ送信のために前記２つ以上の局によって利用されるパケットタイプの第２のインジケーションを含むために前記クリアツートランスミットメッセージを生成するように構成され、前記生成するための手段はまた、前記アップリンク送信機会の間、関連のまたは非関連の局が、送信し得るかどうかについての第３のインジケーションをさらに含むために前記クリアツートランスミットメッセージを生成するように構成される、Ｃ１７に記載の装置。
［Ｃ２４］
前記生成するための手段は、前記クリアツートランスミットメッセージの送信電力および前記複数のアップリンクデータ送信のためのターゲット受信電力のインジケーションを含むために前記クリアツートランスミットメッセージを生成するように構成される、Ｃ１７に記載の装置。
［Ｃ２５］
非一時的コンピュータ読取り可能媒体であって、実行されると、プロセッサに、
アップリンク送信機会を示すクリアツートランスミットメッセージを生成することと、前記クリアツートランスミットメッセージは、特定の時間において、２つ以上の局がアップリンクデータをコンカレントに送信することを求める要求をさらに備える、
前記２つ以上の局に前記クリアツートランスミットメッセージを送信することと、
前記２つ以上の局のうちの少なくとも２つの局から前記特定の時間において複数のアップリンクデータ送信を受信することと
の方法を行わせる命令を備える、非一時的コンピュータ読取り可能媒体。
［Ｃ２６］
前記クリアツートランスミットメッセージは、前記２つ以上の局の全てに共通の情報を含む共通情報フィールドを備えるためにさらに生成され、前記クリアツートランスミットメッセージは、前記２つ以上の局の各々にそれぞれ対応する２つ以上の個別情報フィールドをさらに備える、Ｃ２５に記載の非一時的コンピュータ読取り可能媒体。
［Ｃ２７］
前記クリアツートランスミットメッセージは、前記複数のアップリンクデータ送信のために使用されるＯＦＤＭシンボルの数を示す９つのビットの持続時間フィールドを備えるためにさらに生成される、Ｃ２５に記載の非一時的コンピュータ読取り可能媒体。
［Ｃ２８］
前記クリアツートランスミットメッセージは、前記２つ以上の局が前記複数のアップリンクデータ送信の終わりでパケット拡張シンボルを含むかどうかについてのインジケーションを備えるためにさらに生成される、Ｃ２５に記載の非一時的コンピュータ読取り可能媒体。
［Ｃ２９］
前記クリアツートランスミットメッセージは、前記２つ以上の局が送信することの前にワイヤレス媒体の状態を検討するという第２のインジケーションを備えるためにさらに生成され、ここにおいて、前記クリアツートランスミットメッセージは、前記ワイヤレス媒体の前記状態を検討中の前記２つ以上の局によって利用されるクリアチャネルアセスメントしきい値の第３のインジケーションをさらに備える、Ｃ２５に記載の非一時的コンピュータ読取り可能媒体。
［Ｃ３０］
前記方法は、
ランダムアクセスのための１つまたは複数のリソースユニットを決定することと、
前記クリアツートランスミットメッセージにおいて、前記１つまたは複数のリソースユニットのインジケーションを送信することと、
前記１つまたは複数のリソースユニットに基づいて、ランダムアクセスアップリンクデータを受信することと
をさらに備える、Ｃ２５に記載の非一時的コンピュータ読取り可能媒体。
［Ｃ３１］
前記クリアツートランスミットメッセージは、前記複数のアップリンクデータ送信のための前記２つ以上の局によって利用されるパケットタイプのインジケーションを備えるためにさらに生成され、前記クリアツートランスミットメッセージは、前記アップリンク送信機会の間、関連のまたは非関連の局が、送信し得るかどうかについてのインジケーションをさらに備える、Ｃ２５に記載の非一時的コンピュータ読取り可能媒体。
［Ｃ３２］
前記クリアツートランスミットメッセージは、前記クリアツートランスミットメッセージの送信電力および前記複数のアップリンクデータ送信のためのターゲット受信電力のインジケーションを備えるためにさらに生成される、Ｃ２５に記載の非一時的コンピュータ読取り可能媒体。